【手続補正書】
【提出日】平成19年12月7日(2007.12.7)
【手続補正１】
【補正対象書類名】特許請求の範囲
【補正対象項目名】全文
【補正方法】変更
【補正の内容】
【特許請求の範囲】
【請求項１】
画像を表示するための表示パネルと、
前記表示パネルに光を照射するための光源と、
前記光源と前記表示パネルとの間に配置され、前記光源から照射された光を透過させるための透過部と遮光するための遮光部とが、観察者の左右の目を結んだ第１の方向に対して交差する第２の方向に延びるとともに前記第１の方向に交互に設けられ、かつ、前記透過部と前記遮光部との前記第１の方向の長さを変化させることが可能な発光制御手段と、
前記光源から前記発光制御手段の透過部を介して照射される光を、所定の方向に進行させるとともに、前記透過部と前記遮光部からなる組に対応して前記第２の方向に延びるように形成された複数のレンズ部とを備え、
前記発光制御手段は、前記発光制御手段の透過部および遮光部の前記第１の方向の長さを変化させることにより、前記光源から前記発光制御手段の透過部を介して照射される光の到達位置を制御することによって、異なる観察位置に位置する観察者に異なる画像を提供する機能と複数の観察者に立体画像を提供する機能の少なくとも一方を有する、画像表示装置。
【請求項２】
前記レンズ部は、前記第２の方向に延びるように形成された実質的に半円柱状のレンチキュラーレンズを含む、請求項１に記載の画像表示装置。
【請求項３】
前記発光制御手段の透過部および遮光部からなる１組に対して、前記レンズ部の１つを対応させることによって、異なる観察者の位置する領域に光を集光させて、異なる観察位置に位置する観察者に異なる画像を提供する、請求項１に記載の画像表示装置。
【請求項４】
前記発光制御手段の透過部および遮光部からなる複数組に対して、前記レンズ部の１つを対応させることによって、観察者の右目および左目のそれぞれの部分に光を集光させて、複数の観察者に立体画像を提供する、請求項１に記載の画像表示装置。
【請求項５】
前記発光制御手段は、前記光源から照射された光を透過させるための透過領域と遮光するための遮光領域とが前記第２の方向に延びるとともに前記第１の方向に交互に設けられた発光制御液晶パネルと、前記発光制御液晶パネルを挟んで対向するように配置される第１偏光板および第２偏光板とを含む、請求項１〜４に記載の画像表示装置。
【請求項６】
前記発光制御液晶パネルには、前記発光制御液晶パネルの透過領域および遮光領域を制御するための電極が前記第１の方向に隣接するように複数設けられており、
前記発光制御液晶パネルは、前記発光制御液晶パネルの複数の電極の駆動を制御することによって、前記透過領域および前記遮光領域の前記第１の方向の長さを変化させる、請求項５に記載の画像表示装置。
【請求項７】
前記発光制御液晶パネルは、前記発光制御液晶パネルの複数の電極の駆動を制御することにより、前記透過領域の前記第１の方向の長さを制御することによって、観察者が観測可能な領域を制限する、請求項６に記載の画像表示装置。
【請求項８】
前記発光制御手段の透過部および遮光部は、前記表示パネルの１／ｎフレーム期間（ｎは２以上の自然数）毎に入れ替わるように制御され、
前記表示パネルは、前記発光制御手段の透過部と遮光部とが入れ替わるのに同期して、前記表示パネルに表示される第１画像と第２画像とが入れ替わるように制御される、請求項１〜７のいずれか１項に記載の画像表示装置。
【請求項９】
前記１／ｎフレーム期間は、１／２フレーム期間である、請求項８に記載の画像表示装置。
【請求項１０】
前記発光制御手段は、前記光源から照射された光を透過させるための透過領域と遮光するための遮光領域とが前記第２の方向に延びるとともに前記第１の方向に交互に設けられた発光制御液晶パネルを含み、
前記発光制御液晶パネルには、前記レンズ部が一体的に設けられている、請求項１〜９のいずれか１項に記載の画像表示装置。
【請求項１１】
前記表示パネルには、前記レンズ部が一体的に設けられている、請求項１〜９のいずれか１項に記載の画像表示装置。
【請求項１２】
前記発光制御手段は、前記光源から照射された光を透過させるための透過領域と遮光するための遮光領域とが前記第２の方向に延びるとともに前記第１の方向に交互に設けられた発光制御液晶パネルを含み、
観察者の位置を検出するための位置検出手段と、
前記位置検出手段により検出された前記観察者の位置に応じて、前記発光制御液晶パネルの透過領域および遮光領域を移動させるための制御部とをさらに備える、請求項１〜１１のいずれか１項に記載の画像表示装置。
【請求項１３】
前記レンズの前記第２の方向に延びるように設けられたレンズ部は、前記表示パネルの前記第１の方向に実質的に直交する方向に延びる画素列に対して所定の角度傾いた状態で設けられる、請求項１〜１２のいずれか１項に記載の画像表示装置。
【手続補正２】
【補正対象書類名】明細書
【補正対象項目名】０００８
【補正方法】変更
【補正の内容】
【０００８】
上記目的を達成するために、この発明の一の局面による画像表示装置は、画像を表示するための表示パネルと、表示パネルに光を照射するための光源と、光源と表示パネルとの間に配置され、光源から照射された光を透過させるための透過部と遮光するための遮光部とが、観察者の左右の目を結んだ第１の方向に対して交差する第２の方向に延びるとともに第１の方向に交互に設けられ、かつ、透過部と遮光部との第１の方向の長さを変化させることが可能な発光制御手段と、光源から発光制御手段の透過部を介して照射される光を、所定の方向に進行させるとともに、透過部と遮光部からなる組に対応して第２の方向に延びるように形成された複数のレンズ部とを備え、発光制御手段は、発光制御手段の透過部および遮光部の第１の方向の長さを変化させることにより、光源から発光制御手段の透過部を介して照射される光の到達位置を制御することによって、異なる観察位置に位置する観察者に異なる画像を提供する機能と複数の観察者に立体画像を提供する機能の少なくとも一方を有する。
【手続補正３】
【補正対象書類名】明細書
【補正対象項目名】００１０
【補正方法】変更
【補正の内容】
【００１０】
上記一の局面による画像表示装置において、好ましくは、レンズ部は、第２の方向に延びるように形成された実質的に半円柱状のレンチキュラーレンズを含む。このように構成すれば、発光制御手段の透過部を介して照射される光を、レンチキュラーレンズのレンズ部により、所定の方向に向かって進行させることができる。また、上記一の局面による画像表示装置において、好ましくは、発光制御手段の透過部および遮光部からなる１組に対して、レンズ部の１つを対応させることによって、異なる観察者の位置する領域に光を集光させて、異なる観察位置に位置する観察者に異なる画像を提供する。また、上記一の局面による画像表示装置において、好ましくは、発光制御手段の透過部および遮光部からなる複数組に対して、レンズ部の１つを対応させることによって、観察者の右目および左目のそれぞれの部分に光を集光させて、複数の観察者に立体画像を提供する。
【手続補正４】
【補正対象書類名】明細書
【補正対象項目名】００１６
【補正方法】変更
【補正の内容】
【００１６】
上記一の局面による画像表示装置において、好ましくは、発光制御手段は、光源から照射された光を透過させるための透過領域と遮光するための遮光領域とが第２の方向に延びるとともに第１の方向に交互に設けられた発光制御液晶パネルを含み、発光制御液晶パネルには、レンズ部が一体的に設けられている。このように構成すれば、レンズ部と発光制御液晶パネルとを別個に設ける場合に比べて、部品点数を削減することができる。
【手続補正５】
【補正対象書類名】明細書
【補正対象項目名】００１７
【補正方法】変更
【補正の内容】
【００１７】
上記一の局面による画像表示装置において、好ましくは、表示パネルには、レンズ部が一体的に設けられている。このように構成すれば、レンズ部と表示パネルとを別個に設ける場合に比べて、部品点数を削減することができる。